(57)【要約】【課題】  コストダウンが図れ、組み付けが容易となるウインドレギュレータを提供することを課題とする。【解決手段】  イコライザアームブラケット５の両端部の底部には、第３のシュー１１７が当接可能で、イコライザアームブラケット５をドアパネルに固定するピアスナット（締結部材）２１，２１’を設け、第１及び第２折曲部１７，１９がなく、第３のシュー１１７が挿入可能な挿入部Ａを形成し、更に、挿入部Ａの第１及び第２側壁部１３に、互いに近づく方向に折り曲げることにより、挿入された第３のシュー１１７の第１折曲部１７、第２折曲部１９方向の抜け止となる第１及び第２爪部３３，３５を一体的に形成する。【選択図】          図１
2005336863.tif 000002
【特許請求の範囲】
【請求項１】
ドアパネルに対して基端部側が回転可能に設けられたリフトアームと、
窓ガラスに取り付けられると共に窓ガラスの開閉方向と交差する方向に延びるガイドが形成されたリフトアームブラケットと、
前記リフトアームの先端部に設けられ、前記リフトアームブラケットのガイドに移動可能に係合する第１のシューと、
前記リフトアームの中間部に回動可能に、且つ前記リフトアームとＸ字状に交差するように中間部が枢着されたイコライザアームと、
該イコライザアームの一方の端部に設けられ、前記リフトアームブラケットのガイドに移動可能に係合する第２のシューと、
前記ドアパネルに設けられ、前記リフトアームブラケットのガイドと平行で、ガイドが形成されたイコライザアームブラケットと、
前記イコライザアームの他方の端部に設けられ、前記イコライザアームブラケットのガイドに移動可能に係合する第３のシューと、
を有したウインドレギュレータにおいて、
前記イコライザアームブラケットは、
前記第３のシューの底面と対向する底部と、前記底部の両端から同じ方向に折曲し、前記第３のシューの側面と対向する第１及び第２側壁部と、該第１及び第２側壁部の先端から互いに近づく方向に折曲し、前記第３のシューの天面と対向する第１及び第２折曲部とを有し、
前記底部、前記第１及び第２側壁部、前記第１及び第２折曲部で囲まれた空間が前記第３のシューのガイドとなり、
前記イコライザアームブラケットの両端部の底部には、前記第３のシューが当接可能で、前記イコライザアームブラケットを前記ドアパネルに固定する締結部材を設け、
前記ガイドに、少なくとも前記第１及び第２折曲部がなく、前記第３のシューが前記ガイド内に挿入可能な挿入部を形成し、
更に、前記挿入部に、前記第３のシューの挿入後に、前記第３のシューの前記第１及び第２折曲部方向の抜け止めとなる抜け止め手段を設けたことを特徴とするウインドレギュレータ。
【請求項２】
前記抜け止め手段は、前記第１側壁部、第２側壁部のうちの少なくともどちらか一方の側壁部に一体的に形成された爪部であることを特徴とする請求項１記載のウインドレギュレータ。
【請求項３】
前記挿入部は、前記イコライザアームブラケットの一方の端部の締結部材に隣接して形成したことを特徴とする請求項１又は２記載のウインドレギュレータ。
【発明の詳細な説明】
【技術分野】
【０００１】
本発明は、ドアパネルに対して基端部側が回転可能に設けられたリフトアームと、窓ガラスに取り付けられると共に窓ガラスの開閉方向と交差する方向に延びるガイドが形成されたリフトアームブラケットと、前記リフトアームの先端部に設けられ、前記リフトアームブラケットのガイドに移動可能に係合する第１のシューと、前記リフトアームの中間部に回動可能に、且つ前記リフトアームとＸ字状に交差するように中間部が枢着されたイコライザアームと、該イコライザアームの一方の端部に設けられ、前記リフトアームブラケットのガイドに移動可能に係合する第２のシューと、前記ドアパネルに設けられ、前記リフトアームブラケットのガイドと平行で、ガイドが形成されたイコライザアームブラケットと、前記イコライザアームの他方の端部に設けられ、前記イコライザアームブラケットのガイドに移動可能に係合する第３のシューとを有したウインドレギュレータに関する。
【背景技術】
【０００２】
車両の窓ガラスＷを開閉させるウインドレギュレータには、図３に示すように交差する２つのアームを用いたいわゆるＸアーム型のものがある。図において、１０１はドアパネル１０３に対して基端部側が回転可能に設けられたリフトアームである。窓ガラス１０５には、窓ガラス１０５の開閉方向（図において矢印方向）と交差する方向に延びるガイドが形成されたリフトアームブラケット１０７が設けられている。そして、リフトアーム１０１の先端部には、リフトアームブラケット１０７に移動可能係合する第１のシュー１０９が設けられている。
【０００３】
リフトアーム１０１の中間部には、リフトアーム１０１とＸ字状に交差するように中間部が回転可能に枢着されたイコライザアーム１１１が設けられている。イコライザアーム１１１の一方の端部には、リフトアームブラケット１０７のガイドに移動可能に係合する第２のシュー１１３が設けられている。
【０００４】
一方、ドアパネル１０３には、リフトアームブラケット１０７のガイドと平行なガイドを有するイコライザアームブラケット１１５が設けられる。イコライザアーム１１１の他方の端部には、イコライザアームブラケット１１５に移動可能に係合する第３のシュー１１７が設けられている。
【０００５】
そして、リフトアーム１０１は、モータ１２１により、回転駆動されるようになっている。モータ１２１を駆動して、リフトアーム１０１を上方または下方に回転させると、リフトアームブラケット１０７が昇降し、窓ガラス１０５も昇降する。このとき、イコライザアーム１１１は窓ガラス１０５が水平を保ちながら昇降するように回転する。
【０００６】
このようなウインドレギュレータにおいて、イコライザアームブラケット１１５は、図４に示すように形状をしている。図において、イコライザアームブラケット１１５のアーム長手方向と直交する方向の断面形状は、底部２０１と、底部２０１の両端から同じ方向に折曲した第１及び第２側壁部２０３，２０５と、第１及び第２側壁部２０３，２０５の先端から互いに近づく方向に折曲し、その先端間でアームの長手方向に沿ったスリットＳを形成する第１及び第２折曲部２０７，２０９とからなる。そして、底部２０１、第１及び第２側壁部２０３，２０５、第１及び第２折曲部２０７，２０９で囲まれる空間を第３のシュー１１７が移動可能に係合するガイドが形成されている。又、第３のシュー１１７のイコライザアーム１１１への取り付け用のピン１１７ａはスリットＳを介してイコライザアームブラケット１１５の外部に突出している。
【０００７】
イコライザアームブラケット１１５の両端部の底部には、イコライザアームブラケット１１５をドアパネル１０３に取り付けるためのピアスナット２２１，２２１’がかしめにより設けられている。
【０００８】
このようなイコライザアームブラケット１１５は、製造工程を減らすために、イコライザアームブラケット１１５のプレス加工とピアスナット２２１，２２１’のかしめ加工とは１つの工程で行われ、その後第３のシュー１１７が組みつけられる。
【０００９】
従って、イコライザアームブラケット１１５のガイドに第３のシュー１１７を組み付けるために、イコライザアームブラケット１１５の一方の端部側の第１及び第２折曲部２０７，２０９と、第１及び第２側壁部２０３，２０５の一部を切り欠いて、第３のシュー１１７がガイド内に挿入可能な挿入部Ａを形成している。更に、挿入部Ａの第１及び第２側壁部２０３，２０５の先端に、爪部２１３，２１５を形成している。そして、第３のシュー１１７を挿入部Ａから挿入した後、爪部２１３，２１５を図に示すように折り曲げることにより、第３のシュー１１７の移動範囲の一方の側のストッパとしている。又、第３のシュー１１７の移動範囲の他方の側のストッパは、ピアスナット２２１’としている（例えば、特許文献１参照）。
【特許文献１】特開２００３−２５３９５６号公報（図５）
【発明の開示】
【発明が解決しようとする課題】
【００１０】
しかし、図４に示すような構成のイコライザアームブラケット１１５では、以下のような問題点がある。
（１）爪部２１３，２１５からピアスナット２２１までの範囲Ｂは無駄な部分であり、コストアップとなる。
（２）イコライザアームブラケット１１５は左右異なる形状であるので、組み付けを間違うと、第３のシュー１１７の移動範囲がずれ、ウインドレギュレータ装置が動かなくなる問題点がある。
【００１１】
本発明は、上記問題点に鑑みてなされたもので、その課題は、コストダウンが図れ、組み付けが容易となるウインドレギュレータを提供することにある。
【課題を解決するための手段】
【００１２】
請求項１に係る発明は、ドアパネルに対して基端部側が回転可能に設けられたリフトアームと、窓ガラスに取り付けられると共に窓ガラスの開閉方向と交差する方向に延びるガイドが形成されたリフトアームブラケットと、前記リフトアームの先端部に設けられ、前記リフトアームブラケットのガイドに移動可能に係合する第１のシューと、前記リフトアームの中間部に回動可能に、且つ前記リフトアームとＸ字状に交差するように中間部が枢着されたイコライザアームと、該イコライザアームの一方の端部に設けられ、前記リフトアームブラケットのガイドに移動可能に係合する第２のシューと、前記ドアパネルに設けられ、前記リフトアームブラケットのガイドと平行で、ガイドが形成されたイコライザアームブラケットと、前記イコライザアームの他方の端部に設けられ、前記イコライザアームブラケットのガイドに移動可能に係合する第３のシューと、を有したウインドレギュレータにおいて、前記イコライザアームブラケットは、前記第３のシューの底面と対向する底部と、前記底部の両端から同じ方向に折曲し、前記第３のシューの側面と対向する第１及び第２側壁部と、該第１及び第２側壁部の先端から互いに近づく方向に折曲し、前記第３のシューの天面と対向する第１及び第２折曲部とを有し、前記底部、前記第１及び第２側壁部、前記第１及び第２折曲部で囲まれた空間が前記第３のシューのガイドとなり、前記イコライザアームブラケットの両端部の底部には、前記第３のシューが当接可能で、前記イコライザアームブラケットを前記ドアパネルに固定する締結部材を設け、前記ガイドに、少なくとも前記第１及び第２折曲部がなく、前記第３のシューが前記ガイド内に挿入可能な挿入部を形成し、更に、前記挿入部に、前記第３のシューの挿入後に、前記第３のシューの前記第１及び第２折曲部方向の抜け止めとなる抜け止め手段を設けたことを特徴とするウインドレギュレータである。
【００１３】
第３のシューはイコライザアームブラケットの底部、第１及び第２側壁部、前記第１及び第２折曲部で囲まれるガイドに案内されて移動する。
リフトアームを上方または下方に回転させると、リフトアームブラケットが昇降し、窓ガラスも昇降する。このとき、イコライザアームは窓ガラスが水平を保ちながら昇降するように回転する。
【００１４】
請求項２に係る発明は、  前記抜け止め手段は、前記第１側壁部、第２側壁部のうちの少なくともどちらか一方の側壁部に一体的に形成された爪部であることを特徴とする請求項１記載のウインドレギュレータである。
【００１５】
請求項３に係る発明は、前記挿入部は、前記イコライザアームブラケットの一方の端部の締結部材に隣接して形成したことを特徴とする請求項１又は２記載のウインドレギュレータである。
【発明の効果】
【００１６】
請求項１〜請求項３に係る発明によれば、イコライザアームブラケットの両端部の底部には、前記第３のシューが当接可能で、前記イコライザアームブラケットを前記ドアパネルに固定する締結部材を設けたことにより、イコライザアームブラケットを左右対称な形状することができ、組み付けが容易となる。
【００１７】
又、挿入部から第３のシューをガイドに挿入後、抜け止め手段を用いて第３のシューの第１及び第２折曲部方向の抜け止めを行うことで、ピアスナットが第３のシューのガイド移動方向のストッパとなり、無駄な部分がなくなり、コストダウンを図ることができる。
【００１８】
請求項２に係る発明によれば、抜け止め手段は、前記抜け止め手段は、前記第１側壁部、第２側壁部のうちの少なくともどちらか一方の側壁部に一体的に形成された爪部であるので、イコライザアームブラケットを製造する時に、底部、第１及び第２側壁部、第１及び第２折曲部の形成と一緒に爪部も形成することができ、製造コストが安くなる。
【００１９】
請求項３に係る発明によれば、挿入部は、前記イコライザアームブラケットの一方の端部の締結部材に隣接して形成したことにより、抜け止め手段の締結部材側には第１及び第２折曲部をなくすことができる。よって、挿入部から第３のシューを挿入した後、締結部材側から抜け止め手段を機能させる工具が入りやすく、組み付けが容易となる。
【発明を実施するための最良の形態】
【００２０】
図面を用いて本発明の形態例を説明する。本形態例と従来例を示す図３、図４との相違点はイコライザアームブラケットであり、他の部分は同一なので、イコライザアームブラケットのみを説明する。
【００２１】
形態例の発明部分を示すイコライザアームの斜視図である図１において、イコライザアームブラケット５のアーム長手方向と直交する方向の断面形状は、底部１１と、底部１１の両端から同じ方向に折曲した第１及び第２側壁部１３，１５と、第１及び第２側壁部１３，１５の先端から互いに近づく方向に折曲し、その先端間でアームの長手方向に沿ったスリットＳを形成する第１及び第２折曲部１７，１９とからなる。そして、底部１１、第１及び第２側壁部１３，１５、第１及び第２折曲部１７，１９で囲まれる空間が第３のシュー１１７が移動可能に係合するガイドとなっている。
【００２２】
イコライザアームブラケット５の両端部の底部には、イコライザアームブラケット５をドアパネル１０３に取り付けるためのピアスナット２１，２１’がかしめにより設けられている。尚、本形態例では、これらピアスナット２１，２１’は、第３のシュー１１７の移動範囲を規制するストッパとしても機能する。
【００２３】
このようなイコライザアームブラケット５は、従来例と同様に製造工程を減らすために、イコライザアームブラケット５のプレス加工とピアスナット２１，２１’のかしめ加工とは１つの工程で行われ、その後第３のシュー１１７が挿入される。
【００２４】
本形態例では、イコライザアームブラケット５のガイドに第３のシュー１１７を挿入するために、図２に示すように、イコライザアームブラケット５の一方の端部側のピアスナット２１と隣接する部分に、第３のシュー１１７のガイド移動方向の長さ（Ｃ）より長い範囲で第１及び第２折曲部１７，１９と、第１及び第２側壁部１３，１５の一部がない部分、即ち、第３のシュー１１７のイコライザアームブラケット５のガイドへの挿入部Ａを形成している。
【００２５】
更に、挿入部Ａの第１及び第２側壁部１３，１５の先端に、抜け止め手段としての第１及び第２爪部３３，３５を一体的に形成している。そして、第３のシュー１１７を挿入部Ａから挿入した後、挿入された第３のシュー１１７の挿入部Ａからの第１折曲部１７、第２折曲部１９方向の抜け止となるように、第１爪部２３，第２爪部２５を図１に示すように互いに近づく方向に折り曲げている。
【００２６】
このような構成によれば、以下のような効果を得ることができる。
（１）イコライザアームブラケット５の両端部の底部１１には、第３のシュー１１７が当接可能で、イコライザアームブラケット５をドアパネルに固定するピアスナット２１，２１’を設けたことにより、イコライザアームブラケット５を左右対称な形状することができ、従来のような左右を逆に取り付けた場合の第３のシュー１１７の移動範囲がずれなくなるので、組み付けが容易となる。
（２）イコライザアームブラケット５の一方の端部側のピアスナット２１と隣接する部分に、第３のシュー１１７のガイド移動方向の長さ（Ｃ）より長い範囲で第１及び第２折曲部１７，１９と、第１及び第２側壁部１３，１５の一部がない第３のシュー１１７のイコライザアームブラケット５のガイドへの挿入部Ａを形成している。
【００２７】
更に、挿入部Ａの第１及び第２側壁部１３，１５の先端に、第１及び第２爪部３３，３５を形成している。そして、第３のシュー１１７を挿入部Ａから挿入した後、挿入された第３のシュー１１７の挿入部Ａからの第１折曲部１７、第２折曲部１９方向の抜け止めとなるように、第１爪部２３，第２爪部２５を図１に示すように互いに近づく方向に折り曲げている。即ち、ピアスナット２１，２１’が第３のシュー１１７のガイド移動方向のストッパとなるので、従来のような無駄な部分がなくなり、コストダウンを図ることができる。
（３）挿入部Ａは、イコライザアームブラケット５の一方の端部のピアスナット２１に隣接して形成したことにより、第１及び第２爪部３３，３５の一方の側（ピアスナット２１側）には第１及び第２折曲部１７，１９をなくすことができ、第１及び第２爪部３３，３５の一方の側より工具が入りやすく、第１及び第２爪部３３，３５を折り曲げる加工が容易となる
尚、本発明は、上記形態例に限定するものではない。上記形態例では挿入部Ａをピアスナット２１に隣接して形成したが、イコライザアームブラケット５の底部１１、第１及び第２側壁部１３，１５、第１及び第２折曲部１７，１９で形成されるガイドのどこに挿入部Ａを形成してもかまわない。
【００２８】
更に、上記形態例では、挿入部Ａを形成するのに、第１及び第２側壁部１３，１５の一部までなくしたが、第１及び第２折曲部１７，１９のみをなくしても第３のシュー１１７は挿入可能である。
【００２９】
又、イコライザアームブラケット５を左右対称な形状とし、更に、無駄な部分をなくすだけであれば、挿入部Ａは、イコライザアームブラケット５の一方の端部側のピアスナット２１と隣接しない部分、例えば、コライザアームブラケット５の中間部に形成するようにしても、その目的は達成できる。
【００３０】
更に、第１側壁部１３、第２側壁部１５に第１爪部３３、第２爪部３５を設けたが、第１側壁部１３のみ、第２側壁部１５のみに爪部を形成しても良い。
又、第１爪部３３、第２爪部３５は、第１側壁部１３、第２側壁部１５と一体的に形成したが、別部材でも良い。
【図面の簡単な説明】
【００３１】
【図１】形態例の発明部分を示すイコライザアームの斜視図である。
【図２】図１において、第３のシュー１１７を組み付ける前の斜視図である。
【図３】ウインドレギュレータの構成図である。
【図４】従来のイコライザアームブラケットの斜視図である。
【符号の説明】
【００３２】
５  イコライザアームブラケット
１３  第１側壁部
１５  第２側壁部
１７  第１折曲部
１９  第２折曲部
２１，２１’  ピアスナット（締結部材）
３３  第１爪部
３５  第２爪部
１１７  第３のシュー
【図１】
2005336863.tif 000003
【図２】
2005336863.tif 000004
【図３】
2005336863.tif 000005
【図４】
2005336863.tif 000006